(57)【要約】【課題】装着されたキャビネットの外観とモニタに表示する所定の画像との調和を自動的に実現する画像表示装置を提供することである。【解決手段】テレビ（画像表示装置）１０は、モニタ１６と、モニタ１６を含む本体１１と、モニタ１６の外周を囲み本体１１に対して着せ替え可能なキャビネット１２とを備え、キャビネット１２に設けられ、所定の画像データが記憶された第１記憶部２１と、キャビネット１２又は本体１１に設けられ、第１記憶部２１から画像データを読み出す第１制御部２０ａと、本体１１に設けられ、第１制御部２０ａが読み出した画像データを用いてモニタ１６への表示を行う第２制御部１９ａとを備えた構成とする。【選択図】図１
2009060549.tif 000002
【特許請求の範囲】
【請求項１】
モニタと、該モニタを含む本体と、前記モニタの外周を囲み前記本体に対して着せ替え可能なキャビネットとを備えた画像表示装置において、
前記キャビネットに設けられ、所定の画像データが記憶された第１記憶部と、
前記キャビネット又は前記本体に設けられ、前記第１記憶部から画像データを読み出す第１制御部と、
前記本体に設けられ、前記第１制御部が読み出した画像データを用いて前記モニタへの表示を行う第２制御部とを備えたことを特徴とする画像表示装置。
【請求項２】
前記キャビネットに設けられ、前記第１記憶部から読み出された画像データを出力するキャビネット側コネクタと、
前記本体に設けられ、前記キャビネット側コネクタと接続される本体側コネクタとを備えたことを特徴とする請求項１記載の画像表示装置。
【請求項３】
前記本体に設けられ、所定の画像データが記憶された第２記憶部と、
前記本体に設けられ、前記第２記憶部から画像データを読み出す第３制御部とを備え、
前記第２制御部は、前記第３制御部が読み出した画像データを用いて前記モニタへの表示を行うことを特徴とする請求項１又は２記載の画像表示装置。
【請求項４】
前記第１記憶部に記憶された所定の画像データは複数種あり、選択可能であることを特徴とする請求項１〜３の何れかに記載の画像表示装置。
【請求項５】
前記所定の画像データは、ＯＳＤのデザイン又は／及びフォントであることを特徴とする請求項１〜４の何れかに記載の画像表示装置。
【請求項６】
テレビ放送信号を受信するチューナ部を備え、前記モニタが液晶パネルであることを特徴とする請求項１〜５の何れかに記載の画像表示装置。
【発明の詳細な説明】
【技術分野】
【０００１】
本発明は、着せ替え可能なキャビネットを備えた画像表示装置に関する。
【背景技術】
【０００２】
従来から、フロントキャビネットを着せ替え可能なテレビが存在する。この製品を購入したユーザは、色が異なる複数のフロントキャビネットの中から選択してテレビに装着することができる。これにより、テレビの外観を自分の好みや室内の雰囲気に合ったものにすることができる。
【０００３】
上記のテレビでは、その外観を替えることはできるが、モニタに表示される画像であるＯＳＤ（On Screen Display）表示などのデザインは替えることができないので、メニュー画面などを表示させたときに、その背景やフォントとフロントキャビネットとのデザイン調和を図ることまではできていなかった。
【０００４】
ここで、特許文献１には、ＯＳＤ（On Screen Display）の表示のためのフォントデータを出力するＯＳＤ回路と、ＯＳＤ画面の背景となる背景画像を記憶するイラストフレームメモリを備え、このイラストフレームメモリにイラストフレーム画像のデータを記憶させるとともに、装置本体に対して着脱可能とした表示装置が開示されている。
【０００５】
この特許文献１の技術を用いれば、テレビのＯＳＤ表示をユーザが好みに応じて変更することができる。したがって、ユーザはフロントキャビネットのデザインに合わせてＯＳＤのデザインを選ぶことも可能である。
【特許文献１】特開平１１−１５４６２号公報
【発明の開示】
【発明が解決しようとする課題】
【０００６】
しかしながら、特許文献１にはフロントキャビネットを着せ替え可能にすることについては記載も示唆もされていない。もし、特許文献１の技術とフロントキャビネットを着せ替え可能なテレビとを組み合わせたとしても、ＯＳＤのデザインとフロントキャビネットのデザインは無関係であるため、ＯＳＤのデザイン選択はユーザが手動で行わなければならない。したがって、膨大な数のＯＳＤのデザインの中からフロントキャビネットのデザインに合ったものを探さなければならないので手間が掛かり使い勝手も悪い。また、どのＯＳＤデザインがそのフロントキャビネットのデザインに合っているかの判断もユーザが行わなければならず、ユーザの負担が大きい。
【０００７】
本発明は、装着されたキャビネットの外観とモニタに表示する所定の画像との調和を自動的に実現する画像表示装置を提供することを目的とする。
【課題を解決するための手段】
【０００８】
上記目的を達成するために本発明は、モニタと、該モニタを含む本体と、前記モニタの外周を囲み前記本体に対して着せ替え可能なキャビネットとを備えた画像表示装置において、前記キャビネットに設けられ、所定の画像データが記憶された第１記憶部と、前記キャビネット又は前記本体に設けられ、前記第１記憶部から画像データを読み出す第１制御部と、前記本体に設けられ、前記第１制御部が読み出した画像データを用いて前記モニタへの表示を行う第２制御部とを備えたことを特徴とする。
【０００９】
この構成によると、第１記憶部にキャビネットの外観に応じてＯＳＤのデザインやフォントなどの所定の画像データを記憶させておけば、キャビネットが着せ替えられる度にＯＳＤのデザインやフォントが変更される。
【００１０】
上記の画像表示装置において、例えば、前記キャビネットに設けられ、前記第１記憶部から読み出された画像データを出力するキャビネット側コネクタと、前記本体に設けられ、前記キャビネット側コネクタと接続される本体側コネクタとによって、本体とキャビネットを電気的に接続することができる。
【００１１】
また上記の画像表示装置において、前記本体に設けられ、所定の画像データが記憶された第２記憶部と、前記本体に設けられ、前記第２記憶部から画像データを読み出す第３制御部とを備え、前記第２制御部は、前記第３制御部が読み出した画像データを用いて前記モニタへの表示を行う構成を追加してもよい。
【００１２】
この構成によると、第２記憶部の画像データはデフォルトのデータとして用いることができ、キャビネットの装着に関わらず、第２記憶部の画像データを利用することができる。
【００１３】
また上記の画像表示装置において、前記第１記憶部に記憶された所定の画像データは複数種とし、選択可能とすれば、ユーザの選択の幅が広がる。
【００１４】
また上記の画像表示装置において、前記所定の画像データは、例えば、ＯＳＤのデザイン又は／及びフォントである。
【００１５】
また上記の画像表示装置において、テレビ放送信号を受信するチューナ部を備え、前記モニタが液晶パネルであれば、液晶テレビとなる。
【発明の効果】
【００１６】
本発明の画像表示装置によれば、キャビネットが着せ替えられる度にＯＳＤのデザインやフォントが自動的に変更されるので、装着されたキャビネットの外観とモニタに表示する所定の画像との調和を自動的に実現することができる。
【００１７】
このような画像表示装置によれば、ユーザはキャビネットを着せ替えることで好みの仕様にすることができ、愛着がもてるとともにそれを楽しむこともできる。また、メーカ側は、画像表示装置の付加価値を高め、他の製品との差別化を図ることができる。
【発明を実施するための最良の形態】
【００１８】
本実施形態では、画像表示装置の一例としてテレビを例に説明する。図１は、本発明のテレビの概略構成を示すブロック図である。テレビ１０は、後述するモニタなどを含む本体１１と、モニタの外周を囲み本体１１に対して着せ替え可能なフロントキャビネット１２とから構成される。
【００１９】
また本体１１は、チューナ部１３と、デコード部１４と、映像信号処理部１５と、モニタ１６と、第２記憶部１７と、本体側コネクタ１８と、本体側のマイクロコンピュータ（以下、マイコンと略す）１９とを備えている。一方、フロントキャビネット１２は、マイコン２０と、第１記憶部２１と、キャビネット側コネクタ２２とを備えている。
【００２０】
チューナ部１３は、マイコン１９の指示に従って、アンテナを介してテレビ放送信号を受信する。またチューナ部１３は、受信したテレビ放送信号を中間周波信号に周波数変換するとともに、中間周波信号をデコード部１４に出力する。
【００２１】
デコード部１４は、チューナ部１３から受け取った信号から映像信号を復号し、復号した映像信号を映像信号処理部１５に出力する。
【００２２】
映像信号処理部１５は、入力された映像信号に対して、モニタ１６の画素数に応じたスケーリング処理（解像度変換処理）や、色補正処理、エッジ強調処理などの各種画像処理を必要に応じて実行可能であり、１画面分の映像を表したフレームデータを生成し、モニタ１６に出力する。
【００２３】
モニタ１６は、映像信号処理部１５から順次入力されるデータに基づいて映像表示を実行する。モニタ１６としては、液晶パネルやＰＤＰ（プラズマディスプレイパネル）やＣＲＴなどを採用できる。
【００２４】
第２記憶部１７には、所定の画像データが記憶されている。この所定の画像データは、ＯＳＤのデザインやフォントなどのデフォルトの画像データであり、後述するフロントキャビネット１２の着せ替えとは無関係に利用できるものである。なお、所定の画像データは複数種記憶しておいてもよく、その場合はメニュー画面で所望のＯＳＤのデザインやフォントを選択できるようにすればよい。第２記憶部１７としては、フラッシュメモリなどの各種記憶媒体を採用できる。
【００２５】
本体側コネクタ１８は、フロントキャビネット１２のキャビネット側コネクタ２２と接続するコネクタであり、本体１１内部ではマイコン１９に接続されている。
【００２６】
マイコン１９は、テレビ１０全体の制御を統括するものであり、第２制御部１９ａと第３制御部１９ｂとを有している。第３制御部１９ｂは、第２記憶部１７に接続されており、第２記憶部１７から所定の画像データを読み出すものである。第２制御部１９ａは、第２制御部１９ｂ及び本体側コネクタ１８に接続されており、第３制御部１９ｂが読み出した画像データや後述するフロントキャビネット側から入力された画像データを用いてモニタへ表示するＯＳＤやフォントを変更するものである。なお、第２制御部１９ａと第３制御部１９ｂとは別々のマイコン内に設けてもよい。
【００２７】
次にフロントキャビネット１２内の構成について詳細に説明する。第１記憶部２１には、ＯＳＤのデザインやフォントなどの所定の画像データが記憶されている。この画像データは、着せ替え可能なフロントキャビネット１２の種類（色や模様や形状やキャラクターなど）毎に用意された異なるデザインのＯＳＤやフォントである。ＯＳＤとしては例えば各メニュー画面があり、ＯＳＤのデザインは例えばテレビの操作のためのメニュー表示の背景色や図形のレイアウト等についてフロントキャビネット１２の色や模様や形状に合ったものが記憶されている。またフォントは例えばフロントキャビネット１２の色や模様や形状に合ったものが記憶されている。本実施形態では、フロントキャビネット１２の色毎に用意された各メニュー画面は、少なくとも対応するフロントキャビネット１２の色と同色系の色を主に配したものとする。
【００２８】
なお、所定の画像データは複数種記憶しておいてもよく、その場合はメニュー画面で所望のＯＳＤのデザインやフォントを選択できるようにすればよい。第１記憶部２１としては、フラッシュメモリなどの各種記憶媒体を採用できる。
【００２９】
マイコン２０は、第１制御部２０ａを有している。第１制御部２０ａは、第１記憶部２１に接続されており、第１記憶部２１から所定の画像データを読み出すものである。なお、第１制御部２０ａは本体１１側に設けてもよく、その場合、例えばマイコン１９内に設ければよい。そうすれば、第１制御部２０ａは本体側コネクタ１８、キャビネット側コネクタ２２を介して第１記憶部２１から画像データを読み出すことができる。また例えば、第２制御部１９ａと第３制御部１９ｂとが別々のマイコン内に設けられている場合は、何れかのマイコン内に第１制御部２０ａを設けてもよい。
【００３０】
キャビネット側コネクタ２２は、本体１１の本体側コネクタ１８と接続するコネクタであり、フロントキャビネット１２内部ではマイコン２０に接続されている。
【００３１】
図示は省略しているが、テレビ１０は上述した構成以外にも、音声信号に基づく音声出力を行うための音声信号処理回路やスピーカ、テレビ１０の各部に駆動用電源を供給するための電源回路や、外部のリモートコントロール装置から送信される指示信号（赤外線信号）を受光する受光部など、テレビとしての一般的な各構成を備えることはいうまでもない。
【００３２】
次に、テレビ１０の外観について説明する。図２は、テレビ１０の概略正面図である。テレビ１０は、本体１１と、本体１１を支持するスタンド部３０とからなる。本体１１は、キャビネット内に収容されたモニタ１６等からなる。図示はしていないが、キャビネット内であってモニタ１６の背面には、上記チューナ部１３や、デコード部１４や、映像信号処理部１５やマイクロコンピュータ１９や、第２記憶部１７等を搭載した基板が実装されている。キャビネットは背面側のキャビネット（リアキャビネット）と、前面側のキャビネット（フロントキャビネット１２）とによって構成されるが、図１ではキャビネットのうちフロントキャビネット１２のみ示している。
【００３３】
フロントキャビネット１２は、テレビ１０から取り外し可能な部材である。例えばスタンド部３０がモニタ１６とモニタ１６の上下左右を囲む金属の骨格部材（不図示）とを支持している場合、フロントキャビネット１２は当該骨格部材に対して着脱される。この意味で、テレビ１０はフロントキャビネット１２を着せ替え可能なテレビであるといえる。
【００３４】
図３は、キャビネット内部に収容されるモニタ１６の概略正面図である。図３に示すように、モニタ１６の外面のうち、画面１６ａの周囲を縁取る縁部１６ｂの所定位置には、上記本体側コネクタ１８が取り付けられている。
【００３５】
図４は、フロントキャビネット１２の概略背面図である。フロントキャビネット１２は、前面１２ａの略中央にモニタ１６の画面１６ａを外部に露見させるための開口１２ｂを形成している。またフロントキャビネット１２は、モニタ１６の周囲に装着したときに１６の縁部１６ｂと相対する前面１２ａの内側（内面）の所定位置にキャビネット側コネクタ２２を設けている。キャビネット側コネクタ２２は、フロントキャビネット１２がモニタ１６の周囲に装着されたときに本体側コネクタ１８と対向する位置に設けられている。
【００３６】
次に、フロントキャビネット１２が着せ替えられたときのＯＳＤのデザインやフォントの設定変更処理について説明する。図５は、フロントキャビネット１２が着せ替えられた場合のテレビ１０の設定変更処理動作を示すフローチャートである。この設定変更処理は、例えば、テレビ１０の主電源が投入される度に実行されるようにしてもよいし、メニュー画面から実行できるようにしてもよい。
【００３７】
まず、ステップＳ１０で第２制御部１９ａは、フロントキャビネット１２が装着されているか否かを確認するため第１制御部２０ａに信号を送信する。ステップＳ１０において第１制御部２０ａから応答信号があれば、第２制御部１９ａはフロントキャビネット１２が装着されていると判断し、ステップＳ１１へ進む。一方、ステップＳ１０において応答信号がなければ、第２制御部１９ａはフロントキャビネット１２が装着されていないと判断し、ステップＳ１２へ進む。
【００３８】
ステップＳ１１では、第２制御部１９ａは第１制御部２０ａに対して第１記憶部２１に複数種記憶されている画像データの種類の一覧を要求し、第１制御部２０ａは第１記憶部２１からその一覧を読み出して第２制御部１９ａへ送る。
【００３９】
一方、ステップＳ１２では、第２制御部１９ａは第３制御部１９ｂに対して第２記憶部１７に複数種記憶されている画像データの種類の一覧を要求し、第３制御部１９ｂは第２記憶部１７からその一覧を読み出して第２制御部１９ａへ送る。
【００４０】
ステップＳ１１又はステップＳ１２からはステップＳ１３へ進み、第２制御部１９ａは受け取った画像データの種類の一覧をモニタ１６に選択可能に表示する。そして、ステップＳ１４へ進んで、ユーザの操作により一覧から所望の種類が選択されると、ステップＳ１５へ進んで、第２制御部１９ａはこれをモニタ１６へ出力するために使用する画像データの種類として設定（記憶）する。
【００４１】
そして、ステップＳ１６へ進んで、第２制御部１９ａは、各メニュー画面などを表示する際に、設定した種類の画像データを該当する第１又は第２制御部を介して該当する第１又は第２記憶部から読み出し、モニタ１６へ表示する。具体的には、読み出した画像データを、デコード部１４が復号した映像信号に重畳して映像信号処理部１５へ出力する。その結果、モニタ１６上に読み出した画像データに基づく表示、すなわちメニュー画面などの表示を行うことができる。つまり、いわゆるＯＳＤ機能を用いてメニュー画面などをモニタ１６に表示する。
【００４２】
図６は、モニタ１６にメニュー画面を表示したテレビ１０の正面図の一例である。図６は、フロントキャビネット１２がある色（例えば白色）の場合を示しており、フロントキャビネット１２の色に合わせた色（白色）を主に配色したデザインのメニュー画面Ｍがモニタ１６に表示されている。
【００４３】
このように、フロントキャビネット１２の種類に合わせて記憶された所定の画像データの中から所望の画像データを選ぶことで、ＯＳＤのデザインやフォントを変更することができる。また、第２記憶部１７を有することにより、フロントキャビネット１２に関わらず、第２記憶部１７の画像データを利用することもできる。
【００４４】
なお、図５において、第１又は第２記憶部に記憶されている所定の画像データが１種類の場合は、ステップＳ１１〜Ｓ１４は不要であり、ステップＳ１０からステップＳ１５へ進んで、記憶部に記憶されている画像データをモニタ１６へ出力する画像データの種類として設定し、ステップＳ１６へ進めばよい。
【００４５】
これによれば、フロントキャビネット１２が着せ替えられる度にＯＳＤのデザインやフォントが自動的に変更される。したがって、ユーザが自己の好みに応じてフロントキャビネット１２を選択して本体１１に取り付けるだけで、メニュー画面などが取り付けたフロントキャビネット１２と調和したデザインに自動的に変更される。
【００４６】
このようなテレビ１０によれば、ユーザはフロントキャビネット１２を着せ替えることで好みの仕様にすることができ、愛着がもてるとともにそれを楽しむこともできる。また、メーカ側は、テレビ１０の付加価値を高め、他の製品との差別化を図ることができる。
【００４７】
なお、フロントキャビネット１２の種類に合わせてその表示デザインを変更する対象は、メニュー画面の他に、番組表示中に画面の所定位置に表示させるチャンネル番号や、ボリューム表示など、ＯＳＤ機能を用いて表示する内容であれば、あらゆる表示が対象となる。
【００４８】
なお、上記の実施形態における第２記憶部１７及び第３制御部１９ｂは省略してもよい。この場合、デフォルトの画像データはなくなるが、必ずフロントキャビネット１２を装着するものとすれば、第１記憶部２１の画像データを用いることができるので問題はない。
【００４９】
なお、上記の実施形態では本体１１とフロントキャビネット１２との電気的な接続にコネクタを用いたが、その接続手段は電気的に接続できれば特に限定はなく、例えば、プラグとプラグ受入部などを用いてもよい。
【００５０】
なお、上記の実施形態ではフロントキャビネット１２を着せ替え可能としたが、少なくともモニタの外周を囲むキャビネットであればよい。
【００５１】
なお、第１記憶部２１に複数種の画像データを記憶しておき選択可能にする場合は、フロントキャビネット１２上に画像データを選択するボタンを設けて選択できるようにしてもよい。このボタンは、画像データの種類の数だけそれぞれ対応させて設けてもよいし、矢印ボタンとしておき順送りできるようにしてもよい。
【産業上の利用可能性】
【００５２】
本発明の画像表示装置は、テレビをはじめ、パーソナルコンピュータや携帯電話機の表示装置など、画像を表示する装置を備えているものであれば利用できる。
【図面の簡単な説明】
【００５３】
【図１】本発明のテレビの概略構成を示すブロック図である。
【図２】本発明のテレビの概略正面図である。
【図３】キャビネット内部に収容されるモニタの概略正面図である。
【図４】フロントキャビネットの概略背面図である。
【図５】フロントキャビネットが着せ替えられた場合のテレビの設定変更処理動作を示すフローチャートである。
【図６】モニタにメニュー画面を表示したテレビの正面図の一例である。
【符号の説明】
【００５４】
１０    テレビ（画像表示装置）
１１    本体
１２    フロントキャビネット（キャビネット）
１３    チューナ部
１６    モニタ
１７    第２記憶部
１８    本体側コネクタ
１９ａ    第２制御部
１９ｂ    第３制御部
２０ａ    第１制御部
２１    第１記憶部
２２    キャビネット側コネクタ
【図１】
2009060549.tif 000003
【図２】
2009060549.tif 000004
【図３】
2009060549.tif 000005
【図４】
2009060549.tif 000006
【図５】
2009060549.tif 000007
【図６】
2009060549.tif 000008